(57)【要約】【課題】寝具上の動物が睡眠中であるか否かを適切に判定することが可能な睡眠判定装置を提供する。【解決手段】睡眠判定装置１００は、寝具２上の動物１の体動に基づいて、予め設定された所定期間毎に体動数を算出する体動数算出部１４と、所定期間毎の体動数に、当該体動数が少ない程、重み付けを大きくした重み付き体動数を演算する重み付き体動数演算部１５と、重み付き体動数に基づいて寝具２上の動物１が睡眠中であるか否かを判定する睡眠判定部１６と、を備える。【選択図】図１
2014233486.tif 000002
【特許請求の範囲】
【請求項１】
寝具上の動物の体動に基づいて、予め設定された所定期間毎に体動数を算出する体動数算出部と、
前記所定期間毎の体動数に、当該体動数が少ない程、重み付けを大きくした重み付き体動数を演算する重み付き体動数演算部と、
前記重み付き体動数に基づいて前記寝具上の動物が睡眠中であるか否かを判定する睡眠判定部と、
を備える睡眠判定装置。
【請求項２】
前記重み付き体動数は、前記体動数算出部により算出された体動数を、当該体動数と予め設定された所定の値との和で除して得られた値に基づいて演算される請求項１に記載の睡眠判定装置。
【請求項３】
前記睡眠判定部は、所定時間前から現在までの前記所定期間毎の重み付き体動数を用いて演算された睡眠値と予め設定された判定閾値との大小関係により判定する請求項１又は２に記載の睡眠判定装置。
【発明の詳細な説明】
【技術分野】
【０００１】
本発明は、寝具上の動物が睡眠中であるか否かを判定する睡眠判定装置に関する。
【背景技術】
【０００２】
介護や医療の現場にあっては、例えば寝具上の人の転落防止の観点から、寝具上の人が睡眠中であるか否かを看護者が知ることは重要である。寝具上の人が睡眠中であるか否かを判定する技術として、例えば特許文献１に記載のものがある。
【０００３】
特許文献１に記載の寝台装置は、寝床部（本願発明の「寝具」に相当）の荷重を検出する荷重計測手段の検出結果に基づいて重心位置や荷重の変化の有無を判定し、一定期間毎に重心位置や荷重の変化量が所定の閾値以上となった回数を複数の期間に亘って集計する。この集計した結果に、各期間毎に設定された係数を乗じてそれらを加算し、当該加算により得られた値に基づいて寝床上の利用者が覚醒中であるか睡眠中であるかを判定する。
【先行技術文献】
【特許文献】
【０００４】
【特許文献１】国際公開第２０１０／１４３４８７号
【発明の概要】
【発明が解決しようとする課題】
【０００５】
例えば、寝床上の人が読書や携帯端末等を操作している場合には、重心位置の変化や荷重の変化が少ない。係る場合、特許文献１に記載の技術にあっては、重心位置の変化量や荷重の変化量が所定の閾値以上となった回数が少ない状態が継続することになるので、寝床上の人が覚醒中であるにも拘らず、睡眠中であると判定される可能性がある。
【０００６】
本発明の目的は、上記問題に鑑み、寝具上の動物が睡眠中であるか否かを適切に判定することが可能な睡眠判定装置を提供することにある。
【課題を解決するための手段】
【０００７】
上記目的を達成するための本発明に係る睡眠判定装置の特徴構成は、寝具上の動物の体動に基づいて、予め設定された所定期間毎に体動数を算出する体動数算出部と、前記所定期間毎の体動数に、当該体動数が少ない程、重み付けを大きくした重み付き体動数を演算する重み付き体動数演算部と、前記重み付き体動数に基づいて前記寝具上の動物が睡眠中であるか否かを判定する睡眠判定部と、を備えている点にある。
【０００８】
例えば、寝具上の動物が覚醒中である場合には、複数の所定期間に亘って体動が検出されることが多い。一方、寝具上の動物が睡眠中である場合には、所定期間毎の体動数が検出されないことが多い。すなわち、極稀に体動が検出される程度である。更に、覚醒中の動物が寝具上に寝そべりながら所定の動作を行っている状態にあっては、所定期間毎の体動数が少ないながら、複数の所定期間に亘って体動が検出されることが多い。本特徴構成によれば、重み付き体動数演算部が、所定期間の体動数が少ない程、当該体動数に付与する重み付けを大きくするので、睡眠判定に用いる体動数（本願の「重み付き体動数」）を大きくすることができる。このため、所定期間における体動数が少ない状態にあっても、所定期間毎の体動数に応じて重み付けが行われるので、所定期間毎の体動数が検出されないことが多い睡眠中の状態と、覚醒中の動物が寝具上に寝そべりながら所定の動作を行っている状態とを体動値に基づいて明確に判定することが可能となる。よって、重み付けを行わずに体動数算出部により算出された体動数をそのまま用いた場合に比べて体動の有無による影響を低減することができるので、寝具上の動物が覚醒中であるにも拘らず、睡眠中であると誤判定することを抑制することが可能となる。したがって、寝具上の動物が睡眠中であるか否かを適切に判定することが可能となる。
【０００９】
また、前記重み付き体動数は、前記体動数算出部により算出された体動数を、当該体動数と予め設定された所定の値との和で除して得られた値に基づいて演算されると好適である。
【００１０】
このような構成とすれば、体動数算出部により算出された所定期間毎における体動数に応じて重み付けを行うことができる。このため、寝具上の動物の状態に応じて重み付けを行うことができるので、単に予め設定された所定の値を用いて重み付けを行う場合に比べて、寝具上の動物が睡眠中であるか、或いは覚醒中であるかを適切に判定することが可能となる。
【００１１】
また、前記睡眠判定部は、現在から所定時間前までの前記所定期間毎の重み付き体動数を用いて演算された睡眠値と予め設定された判定閾値との大小関係により判定すると好適である。
【００１２】
このような構成とすれば、寝具上の動物が睡眠中であるか、或いは覚醒中であるかを容易に判定することが可能となる。したがって、誤判定を抑制することができる。
【図面の簡単な説明】
【００１３】
【図１】睡眠判定装置の構成を模式的に示すブロック図である。
【図２】体動値について模式的に示す図である。
【図３】体動の有無の判定結果の一例を示す図である。
【図４】体動数について模式的に示す図である。
【図５】重み付き体動数の一例を示す図である。
【図６】睡眠判定に係る処理を示すフローチャートである。
【図７】その他の実施形態に係る体動値について模式的に示す図である。
【図８】その他の実施形態に係る体動値について模式的に示す図である。
【図９】その他の実施形態に係る体動値について模式的に示す図である。
【図１０】その他の実施形態に係る体動値について模式的に示す図である。
【発明を実施するための形態】
【００１４】
本発明に係る睡眠判定装置は、寝具上の動物が睡眠中であるか否かを適切に判定する機能を備えている。以下、本実施形態の睡眠判定装置１００について詳細に説明する。本実施形態では、寝具上の動物１として人１Ａを例に挙げて説明する。
【００１５】
図１には、本実施形態に係る睡眠判定装置１００の構成を模式的に示したブロック図が示される。図１に示されるように、睡眠判定装置１００は、荷重センサ１１、体動値演算部１２、体動判定部１３、体動数算出部１４、重み付き体動数演算部１５、睡眠判定部１６の各機能部を備えて構成される。各機能部はＣＰＵを中核部材として、寝具２上の人１Ａが睡眠中であるか否かを判定する種々の処理を行うための上述の機能部がハードウェア又はソフトウェア或いはその両方で構築されている。
【００１６】
本実施形態では、人１Ａが就寝する寝具２としてベッドを例に挙げて説明する。このため、以下ではベッドに符号２を付して説明する。ベッド２は、マットレス２Ａと、当該マットレス２Ａが載置される台部２Ｂと、台部２Ｂを床面に対して支持する支持部としての脚部２Ｃとを備えて構成される。
【００１７】
台部２Ｂと脚部２Ｃとの間には、荷重センサ１１が設けられる。荷重センサ１１は、ベッド２上の人１Ａの体動を検出する検出部の一例である。本実施形態では、荷重センサ１１は台部２Ｂの裏面に設けられる。また、本実施形態では、ベッド２の４つの脚部２Ｃのうち、一つの脚部２Ｃに配設される。荷重センサ１１による検出結果は、図２に示されるような時々刻々と変化する荷重の変化を示す電気信号として後述する体動値演算部１２に伝達される。
【００１８】
本実施形態では、体動値演算部１２はベッド２上の人１Ａの呼吸の周期よりも短い周期の区間Ｔ１毎に荷重の変化に基づいて、荷重の変化を示す体動値を演算する（図２参照）。人１Ａの呼吸の周期とは、ベッド２の人１Ａが呼吸を１回する際に要する時間である。ここで、人１Ａは呼吸の安定状態（運動直後等でない状態）にあっては、１回当たり３〜６秒程度要する。したがって、呼吸の周期とは３〜６秒程度が相当する。
【００１９】
また、呼吸の周期よりも短い周期とは、呼吸の周期が３〜６秒である場合には、３秒未満をいうが、理解を容易にするために本実施形態では１秒であるとして説明する。このため、呼吸の周期よりも短い周期の区間Ｔ１とは、１秒毎に区分けされた区間Ｔ１が相当する。本実施形態では、このような区間Ｔ１を第１区間Ｔ１として説明する。体動値演算部１２は、このような１秒からなる第１区間Ｔ１毎に体動値を演算する。
【００２０】
体動値とは、荷重の変化を示す目安となる指標である。本実施形態では、体動値演算部１２は、荷重の最大値と最小値との差を体動値として演算する。ここで、このような体動値は、第１区間Ｔ１毎に演算される。このため、荷重の最大値とは第１区間Ｔ１内において最も荷重が大きくなった時の値であり、図２では、夫々Ｋ１が相当する。荷重の最小値とは第１区間Ｔ１内において最も荷重が小さくなった時の値であり、図２では、夫々Ｋ２が相当する。本実施形態では、体動値演算部１２は、このような最大値Ｋ１と最小値Ｋ２との差を体動値として演算する。図２においては、このような最大値Ｋ１と最小値Ｋ２との差は、符号Ｓを付して示される。
【００２１】
このように、第１区間Ｔ１毎の最大変化量を体動値とすることにより、当該最大変化量を荷重の変化に係る特徴として抽出することが可能となる。したがって、このような特徴に基づき体動値を正確に演算することができる。本実施形態に係る体動値演算部１２は、第１区間Ｔ１毎にこのような最大変化量を演算し、体動値とする。体動値演算部１２により演算された体動値は、後述する体動判定部１３に伝達される。
【００２２】
体動判定部１３は、体動値が予め設定された判定閾値より大きい場合に、人１Ａの体動があったと判定する。判定閾値は、全ての第１区間Ｔ１に亘って一定値で設定される。すなわち、判定閾値は時間に拘らず一定値で設定される。このような判定閾値は、予め体動判定部１３に記憶されている。体動値は、上述の体動値演算部１２により第１区間Ｔ１毎に演算され、当該体動判定部１３に伝達される。体動判定部１３は、図３に示されるように、各第１区間Ｔ１の体動値と判定閾値とを比較して、体動値が判定閾値よりも大きい場合には「体動有」と判定し、体動値が判定閾値以下の場合には「体動無」と判定する。図３に示されるように、本発明においては、呼吸の周期よりも短い周期の第１区間Ｔ１毎に、体動があったか否かが判定される。
【００２３】
これにより、呼吸の周期よりも極めて短い周期の第１区間Ｔ１毎であっても当該第１区間Ｔ１毎に、体動の有無を正確に検出することが可能となる。このため、体動があった時点を精度良く判定することが可能となる。また、荷重センサ１１がベッド２の台部２Ｂの裏面に配設されてあるので、直接、ベッド２上の人１Ａに触れることがない。したがって、体動を検出するにあたり人１Ａの睡眠を阻害することを防止できる。更には、就寝中の人１Ａにより荷重センサ１１が外されることもない。体動判定部１３の判定結果は、後述する体動数算出部１４に伝達される。
【００２４】
体動数算出部１４は、ベッド２上の人１Ａの体動に基づいて、予め設定された所定期間毎に体動数を算出する。本実施形態では、予め設定された所定期間とは、複数の第１区間Ｔ１からなる第２区間Ｔ２が相当し、図４に示されるように、ｎ個の第１区間Ｔ１を含んで１個の第２区間Ｔ２が形成される。ここで、ｎは２以上の自然数である。このため、第２区間Ｔ２は、２個以上の第１区間Ｔ１から構成される。本実施形態では、夫々の第２区間Ｔ２は、２０個の第１区間Ｔ１を有して構成される。このように、本実施形態では、体動数算出部１４は、２０個の第１区間Ｔ１からなる第２区間Ｔ２毎に体動があった第１区間Ｔ１の数を体動数として算出する。
【００２５】
なお、以下の説明では、特に第２区間Ｔ２を区別する際には、過去から順番に夫々符号Ｔ２１〜Ｔ２６を付して説明する。体動があった第１区間Ｔ１の数とは、体動判定部１３により「体動有」と判定された第１区間Ｔ１の数である。このような第１区間Ｔ１の体動の有無の判定結果は、体動判定部１３から伝達される。体動数算出部１４は、第２区間Ｔ２毎に「体動有」と判定された第１区間Ｔ１の数を算出する。
【００２６】
例えば、図４に示される例では、第２区間Ｔ２１が有する２０個の第１区間Ｔ１のうち２個の第１区間Ｔ１において「体動有」と判定された場合には、体動数算出部１４は当該第２区間Ｔ２の体動数は「２」として算出する。同様に、第２区間Ｔ２２の体動数は「１１」、第２区間Ｔ２３の体動数は「３」、第２区間Ｔ２４の体動数は「０」、第２区間Ｔ２５の体動数は「１３」、第２区間Ｔ２６の体動数は「３」として算出する。体動数算出部１４により算出された結果は、第２区間Ｔ２毎の結果として後述する重み付き体動数演算部１５に伝達される。
【００２７】
重み付き体動数演算部１５は、所定期間毎の体動数に、当該体動数が少ない程、重み付けを大きくした重み付き体動数を演算する。所定期間とは、上述の第２区間Ｔ２が相当する。このため、所定期間毎の体動数とは、上述の体動数算出部１４により算出された第２区間Ｔ２毎の体動数が相当する。本実施形態では、重み付き体動数演算部１５は、第２区間Ｔ２における体動数が少ない程、重み付けが大きくなるように演算される。
【００２８】
具体的には、重み付き体動数は、体動数算出部１４により算出された体動数を、当該体動数と予め設定された所定の値との和で除して得られた値に基づいて演算される。本実施形態では、以下のような（１）式により演算される。
【００２９】
【数１】
2014233486.tif 000003
【００３０】
（１）式において「第２区間の最大体動数」とは、第２区間Ｔ２において最大で取り得る体動数である。すなわち、第２区間Ｔ２が２０個の第１区間Ｔ１からなる場合には「２０」である。また、「体動数」とは、体動数算出部１４により算出された体動数である。また、（１）式における「１」は、上述の「所定の値」に相当する。図５は（１）式で演算される重み付き体動数を図示したものである。重み付き体動数演算部１５により演算された重み付き体動数は、後述する睡眠判定部１６に伝達される。
【００３１】
このような重み付け体動数は、ベッド２上の人１Ａの状態に応じて重み付けを行ったものであるので、単に予め設定された所定の値を用いて重み付けを行う場合に比べて、ベッド２上の人１Ａが睡眠中であるか、或いは覚醒中であるかを適切に判定することが可能となる。
【００３２】
睡眠判定部１６は、所定時間前から現在までの所定期間毎の重み付き体動数を用いて演算された睡眠値Ｚと予め設定された判定閾値との大小関係により判定する。所定時間前とは、本実施形態では「６４０秒前」である。所定期間毎の重み付き体動数とは、上述の重み付き体動数演算部１５により演算された第２区間Ｔ２毎の重み付き体動数である。睡眠判定部１６は、このような「６４０秒前」からの第２区間Ｔ２毎の重み付き体動数を用いて睡眠値Ｚを演算する。本実施形態では、睡眠判定部１６は予め記憶されてある以下のような（２）式により算出した睡眠値Ｚに基づいて睡眠中であったか否かを判定する。
【００３３】
【数２】
2014233486.tif 000004
Ｎ０は２０秒前から現在までの間における第２区間Ｔ２の体動数であり、Ｎ１は４０秒前から２０秒前までの間における第２区間Ｔ２の体動数である。以下同様に、Ｎ３２は６２０秒前から６４０秒前までの間における第２区間Ｔ２の体動数である。また、Ａ、Ｂ、Ｃ、Ｄ、・・・、ＡＨは係数であり、公知の判別分析法を用いて予め実験により定められる。
【００３４】
睡眠判定部１６は、（２）式により求めた睡眠値Ｚが上述の「予め設定された判定閾値」に相当する「０」以下である場合には、ベッド２上の人１Ａが睡眠中であると判定する。一方、（２）式により求めた睡眠値Ｚが「０」より大きい場合には、ベッド２上の人１Ａが睡眠中でない、すなわち覚醒中であると判定する。この判定結果は、判定結果出力部５０に伝達され、当該判定結果出力部５０により明示される。もちろん、判定結果出力部５０により判定結果を記憶しておく構成とすることも可能である。なお、上述の睡眠値Ｚを求めるにあたり用いた「６４０秒前」は例示であり、適宜変更することが可能である。係る場合には、Ａ−ＡＨの各係数は変更され、Ｎｎの項及び当該項の係数も増減する。このように演算して数値化された睡眠値を用いて判定することにより、ベッド２上の人１Ａが睡眠中であるか、或いは覚醒中であるかを容易に判定することが可能となる。
【００３５】
次に、本睡眠判定装置１００によるベッド２上の人１Ａが睡眠中であるか否かの判定に係る処理について図６のフローチャートを用いて説明する。まず、荷重センサ１１による荷重の変化の検出が開始される（ステップ＃０１）。荷重センサ１１による検出が開始されてから第１区間Ｔ１に相当する時間が経過するまで処理は保留される（ステップ＃０２：Ｎｏ）。荷重センサ１１による検出が開始されてから第１区間Ｔ１に相当する時間が経過すると（ステップ＃０２：Ｙｅｓ）、体動値演算部１２により第１区間Ｔ１毎に体動値が演算される（ステップ＃０３）。
【００３６】
演算された体動値が予め設定された判定閾値よりも大きい場合には（ステップ＃０４：Ｙｅｓ）、体動判定部１３により当該第１区間Ｔ１は「体動有」と判定される（ステップ＃０５）。この判定結果は、判定に係る第１区間Ｔ１と対応付けて記憶される（ステップ＃０７）。一方、演算された体動値が予め設定された判定閾値以下である場合には（ステップ＃０４：Ｎｏ）、体動判定部１３により当該第１区間Ｔ１は「体動無」と判定される（ステップ＃０６）。このような判定結果である場合にも、判定に係る第１区間Ｔ１と対応付けて記憶される（ステップ＃０７）。
【００３７】
第２区間Ｔ２に相当する時間が経過していなければ（ステップ＃０８：Ｎｏ）、ステップ＃０１に戻り処理が継続される。一方、第２区間Ｔ２に相当する時間が経過していれば（ステップ＃０８：Ｙｅｓ）、体動数算出部１４により当該第２区間Ｔ２における体動数が算出される（ステップ＃０９）。
【００３８】
このように算出された体動数を用いて、重み付き体動数演算部１５が重み付き体動数を演算する（ステップ＃１０）。この重み付き体動数は、対応する第２区間Ｔ２と紐付けして記録され（ステップ＃１１）、処理が繰り返し行われる（ステップ＃１２：Ｎｏ）。ここで、睡眠判定を行う場合には（ステップ＃１２：Ｙｅｓ）、睡眠判定部１６により睡眠値Ｚが演算される（ステップ＃１３）。睡眠判定部１６は、睡眠値Ｚが０以下である場合には（ステップ＃１４：Ｙｅｓ）、現在、人１Ａが睡眠中であると判定し（ステップ＃１５）、処理を終了する。一方、睡眠判定部１６は、睡眠値Ｚが０より大きい場合には（ステップ＃１４：Ｎｏ）、現在、人１Ａが覚醒中であると判定し（ステップ＃１６）、処理を終了する。睡眠判定装置１００は、このようなフローに基づきベッド２上の人１Ａが、現在、睡眠中であるか、覚醒中であるかの判定を行う。
【００３９】
このように、体動数算出部１４により算出された体動数に重み付けを行い、重み付き体動数を用いて睡眠判定を行うことにより、第２区間Ｔ２における体動数が比較的少ない場合と、第２区間Ｔ２における体動数が比較的多い場合とにおける影響を低減することが可能となる。このため、ベッド２上の人１Ａが例えば読書等をしているような状態を、体動が少ないことから誤って睡眠中と判定することを低減できる。したがって、本睡眠判定装置１００によれば、ベッド２上の人１Ａが、睡眠中であるか覚醒中であるかを適切に判定することが可能となる。
【００４０】
このように、本睡眠判定装置１００によれば、例えば、覚醒中の人１Ａがベッド２上に寝そべりながら所定の動作を行っている状態であっても、ベッド２上の人１Ａが睡眠中である場合の体動数と区別することが可能となる。このため、ベッド２上の人１Ａが覚醒中であるにも拘らず、睡眠中であると誤判定することを抑制することが可能となる。したがって、ベッド２上の人１Ａが睡眠中であるか否かを適切に判定することが可能となる。
【００４１】
〔その他の実施形態〕
上記実施形態では、体動値演算部１２は、荷重の最大値と最小値との差を体動値として演算するとして説明した。しかしながら、本発明の適用範囲はこれに限定されるものではない。例えば、体動値演算部１２は、荷重の最大振幅値を体動値として演算する構成することも可能である。このような体動値が図７に示される。荷重は上記実施形態と同様に荷重センサ１１により算出される。振幅値とは、荷重の傾きが変わってから次に傾きが変わるまでの変化量をいう。最大振幅値とは区間（第１区間）Ｔ１内に含まれるこのような振幅値の最大のものをいう。図７では、各区間Ｔ１におけるＫ１とＫ２との差が最大振幅値に相当する。図７においては、各区間Ｔ１における最大振幅値は、符号Ｓを付して示される。
【００４２】
このような構成にあっては、荷重センサ１１の検出結果に高周波ノイズが重畳されている場合であっても、或いは、低周波ノイズに荷重センサ１１の検出結果が重畳されている場合であっても、これらのノイズの影響を低減した上で体動値を演算することができる。したがって、このような最大振幅値Ｓを体動値として用いた場合であっても、体動の有無を精度良く判定することが可能となる。
【００４３】
或いは、体動値演算部１２は、荷重の分散値を体動値として演算する構成とすることも可能である。このような体動値が図８に示される。荷重は上記実施形態と同様に荷重センサ１１により算出される。分散値とは、期待値を基準としてバラツキを示す値である。これは、公知の数学的手法により算出することが可能である。区間Ｔ１内における荷重の変化が小さければ、分散値は小さくなり、区間Ｔ１内における荷重の変化が大きければ、分散値も大きくなる。このような分散値も図８に示されるように、区間Ｔ１毎に演算される。このような分散値は、図８において符号Ｂを付して示される。
【００４４】
このような構成にあっては、第１区間Ｔ１全体に亘る荷重の変化を考慮して体動値を演算することができる。このため、荷重センサ１１の検出結果に突発的なノイズ（例えばスパイクノイズ）が含まれる場合であっても、当該突発的なノイズの影響を低減した上で体動値を演算することができる。したがって、このような分散値を体動値として用いた場合であっても、体動の有無を精度良く判定することが可能となる。
【００４５】
更には、体動値演算部１２は、荷重の平均値と、隣接する区間Ｔ１の荷重の平均値との差を体動値として演算する構成とすることも可能である。このような体動値が図９に示される。荷重は上記実施形態と同様に荷重センサ１１により算出される。荷重の平均値とは、区間Ｔ１における荷重の平均値である。隣接する区間Ｔ１の荷重の平均値とは、一つ前の区間Ｔ１の荷重の平均値又は一つ後の区間Ｔ１の荷重の平均値である。図９には、一つ後の区間Ｔ１の荷重の平均値との差を体動値としている例を示している。このような差は、図９において符号Ｃを付して示される。
【００４６】
このような構成にあっては、互いに隣接する２つの第１区間Ｔ１の荷重の変化を相対的な値として用いることができる。このため、荷重センサ１１の検出結果が低周波ノイズに重畳している場合であっても、当該低周波ノイズの影響を低減した上で体動値を演算することができる。したがって、このような荷重の平均値差Ｃを体動値として用いた場合であっても、体動の有無を精度良く判定することが可能となる。
【００４７】
上記実施形態では、第１区間Ｔ１の夫々が互いに隣接して構成されるように図示した。しかしながら、本発明の適用範囲はこれに限定されるものではない。第１区間Ｔ１の夫々は、隣接する第１区間と互いに重複する重複期間Ｄを有するように構成することも当然に可能である。このような第１区間Ｔ１の例が図１０に示される。すなわち、互いに隣接する第１区間Ｔ１に亘って重複期間Ｄが形成される。
【００４８】
このような構成とすれば、隣接する第１区間Ｔ１の体動値を基準として演算対象の第１区間Ｔ１の体動値を演算することができる。このため、低周波ノイズに荷重センサ１１の検出結果が重畳されている場合であっても、これらのノイズの影響を低減した上で体動値を演算することができる。したがって、体動の有無を精度良く判定することが可能となる。
【００４９】
上記実施形態では、ベッド２の裏面に配設された荷重センサ１１は１つ、すなわち荷重センサ１１が脚部２Ｃのうちの一つに設けられているとして説明した。しかしながら、本発明の適用範囲はこれに限定されるものではない。ベッド２が有する脚部２Ｃのうち複数の脚部２Ｃに荷重センサ１１を設けることも可能であるし、全ての脚部２Ｃに荷重センサ１１を設ける構成とすることも当然に可能である。
【００５０】
上記実施形態では、睡眠判定部１６が、現在、ベッド２上の人１Ａが睡眠中であるか覚醒中であるかを判定するとして説明した。しかしながら、本発明の適用範囲はこれに限定されるものではない。体動数及び重み付き体動数を順次、記憶しておき、これらを用いて所定時間前にベッド２上の人１Ａが睡眠中であったか覚醒中であったかを判定する構成とすることも当然に可能である。
【００５１】
また、上記実施形態では、睡眠判定部１６が６４０秒前から現在まで、夫々２０秒毎に区切られた第２区間Ｔ２の体動数を用いて演算した重み付き体動数を用いて判定するとして説明した。しかしながら、本発明の適用範囲はこれに限定されるものではない。すなわち、「６４０秒前」は一例であり、他の値を用いることも当然に可能である。
【００５２】
上記実施形態では、第１区間Ｔ１が１秒であり、第２区間Ｔ２が２０秒であるとして説明した。しかしながら、本発明の適用範囲はこれに限定されるものではない。第１区間Ｔ１を１秒以外に設定することも可能であるし、第２区間Ｔ２が２０秒以外に設定することも当然に可能である。
【００５３】
上記実施形態では、動物１として人１Ａを例に挙げて説明した。しかしながら、本発明の適用範囲はこれに限定されるものではない。すなわち、人１Ａ以外の動物１が睡眠中であるか、或いは覚醒中であるかの判定に適用することも当然に可能である。
【００５４】
上記実施形態では、寝具２としてベッド２を例に挙げて説明した。しかしながら、本発明の適用範囲はこれに限定されるものではない。すなわち、寝具２をベッド２以外の寝具２、例えば布団や敷き藁等とすることも当然に可能である。
【００５５】
上記実施形態では、荷重センサ１１がベッド２の台部２Ｂと脚部２Ｃとの間に設けられるとして説明した。しかしながら、本発明の適用範囲はこれに限定されるものではない。荷重センサ１１を脚部２Ｃとベッド２を載置する載置面との間に設けることも可能である。また、荷重センサ１１に替えて加速度センサや圧電センサとすることも可能である。係る場合、このようなセンサを人１Ａの手足等に付設することにより本発明を実現することも可能である。
【００５６】
本発明は、寝具上の動物が睡眠中であるか否かを判定する睡眠判定装置に用いることが可能である。
【符号の説明】
【００５７】
１：動物
１Ａ：人
２：ベッド（寝具）
１４：体動数算出部
１５：重み付き体動数演算部
１６：睡眠判定部
１００：睡眠判定装置
【図１】
2014233486.tif 000005
【図２】
2014233486.tif 000006
【図３】
2014233486.tif 000007
【図４】
2014233486.tif 000008
【図５】
2014233486.tif 000009
【図６】
2014233486.tif 000010
【図７】
2014233486.tif 000011
【図８】
2014233486.tif 000012
【図９】
2014233486.tif 000013
【図１０】
2014233486.tif 000014